(57)【要約】【課題】  衛生的に優れ、ペットを清潔な状態に保つことができるペット用トレーを提供する。【解決手段】  受皿状トレー本体１と、トレー本体１の周縁部１ａに沿って着脱自在に取り付けられる枠体２を、備える。枠体２が、トレー本体１に載置するシート体Ｓを押圧して位置ずれを防止するための押圧部を有する。押圧部の上面に、多数の貫孔４が形成された通気通水自在な受け板５を着脱自在として付設する。受け板５が上方突出状取手部６を有する。【選択図】  図１
0003110966.tif 000002
【実用新案登録請求の範囲】
【請求項１】
受皿状トレー本体（１）と、該トレー本体（１）の周縁部（１ａ）に沿って着脱自在に取り付けられる枠体（２）を、備え、該枠体（２）が、上記トレー本体（１）に載置するシート体（Ｓ）を押圧して位置ずれを防止するための押圧部（３）を有し、該押圧部（３）の上面（３ａ）に、多数の貫孔（４）が形成された通気通水自在な受け板（５）を着脱自在として付設したことを特徴とするペット用トレー。
【請求項２】
受皿状トレー本体（１）と、該トレー本体（１）の周縁部（１ａ）に沿って着脱自在に取り付けられる枠体（２）を、備え、該枠体（２）が、上記トレー本体（１）に載置するシート体（Ｓ）を押圧して位置ずれを防止するための押圧部（３）を有し、該押圧部（３）の上面（３ａ）に、多数の貫孔（４）が形成された通気通水自在な受け板（５）を着脱自在として付設し、該受け板（５）の下面（５ｂ）に、複数個のシート体押え用支持短脚（７）を突設したことを特徴とするペット用トレー。
【請求項３】
受皿状トレー本体（１）と、該トレー本体（１）の周縁部（１ａ）に沿って着脱自在に取り付けられる枠体（２）を、備え、該枠体（２）が、上記トレー本体（１）に載置するシート体（Ｓ）を押圧して位置ずれを防止するための押圧部（３）を有し、該押圧部（３）の上面（３ａ）に、多数の貫孔（４）が形成された通気通水自在な受け板（５）を着脱自在として付設し、該受け板（５）の下面（５ｂ）に、複数個のシート体押え用支持短脚（７）を突設し、かつ、上記受け板（５）の上面（５ａ）と上記枠体（２）の上面（２ａ）が略同一高さになるように設定したことを特徴とするペット用トレー。
【請求項４】
受皿状トレー本体（１）と、該トレー本体（１）の周縁部（１ａ）に沿って着脱自在に取り付けられる枠体（２）を、備え、該枠体（２）が、上記トレー本体（１）に載置するシート体（Ｓ）を押圧して位置ずれを防止するための押圧部（３）を有し、該押圧部（３）の上面（３ａ）に、多数の貫孔（４）が形成された通気通水自在な受け板（５）を着脱自在として付設し、該受け板（５）が上方突出状取手部（６）を有し、該受け板（５）の下面（５ｂ）に、複数個のシート体押え用支持短脚（７）を突設し、かつ、上記受け板（５）の上面（５ａ）と上記枠体（２）の上面（２ａ）が略同一高さになるように設定したことを特徴とするペット用トレー。
【請求項５】
受皿状トレー本体（１）と、該トレー本体（１）の周縁部（１ａ）に沿って着脱自在に取り付けられる枠体（２）を、備え、該枠体（２）が、上記トレー本体（１）に載置するシート体（Ｓ）を押圧して位置ずれを防止するための押圧部（３）を有し、該押圧部（３）の上面（３ａ）に、多数の貫孔（４）が形成された通気通水自在な受け板（５）を着脱自在として付設し、かつ、上記受け板（５）に、トルマリンの粉末を混入したことを特徴とするペット用トレー。
【考案の詳細な説明】
【技術分野】
【０００１】
本考案は、ペット用トレーに関する。
【背景技術】
【０００２】
一般に、室内で犬や猫等のペットを飼う場合、トイレとしてペット用トレーで排泄するようにしつけをする。
【０００３】
しかし、ペット用トレーのシート体が汚れた後、ペットがそのシート体に触れ、非衛生になるという問題があった。すなわち、ペットの毛が汚れるとともに、シート体にペットの毛が付着して清掃に手間がかるという問題があった。
【考案の開示】
【考案が解決しようとする課題】
【０００４】
解決しようとする課題は、汚れたシート体とペットの毛が接触して非衛生になる点である。
【課題を解決するための手段】
【０００５】
そこで、本考案に係るペット用トレーは、受皿状トレー本体と、該トレー本体の周縁部に沿って着脱自在に取り付けられる枠体を、備え、該枠体が、上記トレー本体に載置するシート体を押圧して位置ずれを防止するための押圧部を有し、該押圧部の上面に、多数の貫孔が形成された通気通水自在な受け板を着脱自在として付設したものである。
【０００６】
また、受皿状トレー本体と、該トレー本体の周縁部に沿って着脱自在に取り付けられる枠体を、備え、該枠体が、上記トレー本体に載置するシート体を押圧して位置ずれを防止するための押圧部を有し、該押圧部の上面に、多数の貫孔が形成された通気通水自在な受け板を着脱自在として付設し、該受け板の下面に、複数個のシート体押え用支持短脚を突設したものである。
【０００７】
また、受皿状トレー本体と、該トレー本体の周縁部に沿って着脱自在に取り付けられる枠体を、備え、該枠体が、上記トレー本体に載置するシート体を押圧して位置ずれを防止するための押圧部を有し、該押圧部の上面に、多数の貫孔が形成された通気通水自在な受け板を着脱自在として付設し、該受け板の下面に、複数個のシート体押え用支持短脚を突設し、かつ、上記受け板の上面と上記枠体の上面が略同一高さになるように設定したものである。
【０００８】
また、受皿状トレー本体と、該トレー本体の周縁部に沿って着脱自在に取り付けられる枠体を、備え、該枠体が、上記トレー本体に載置するシート体を押圧して位置ずれを防止するための押圧部を有し、該押圧部の上面に、多数の貫孔が形成された通気通水自在な受け板を着脱自在として付設し、該受け板が上方突出状取手部を有し、該受け板の下面に、複数個のシート体押え用支持短脚を突設し、かつ、上記受け板の上面と上記枠体の上面が略同一高さになるように設定したものである。
【０００９】
また、受皿状トレー本体と、該トレー本体の周縁部に沿って着脱自在に取り付けられる枠体を、備え、該枠体が、上記トレー本体に載置するシート体を押圧して位置ずれを防止するための押圧部を有し、該押圧部の上面に、多数の貫孔が形成された通気通水自在な受け板を着脱自在として付設し、かつ、上記受け板に、トルマリンの粉末を混入したものである。
【考案の効果】
【００１０】
本考案のペット用トレーによれば、衛生的に優れる。すなわち、ペットを清潔な状態に保つことができるとともに、容易に清掃することができる。
【考案を実施するための最良の形態】
【００１１】
図１・図２は、本考案の実施の一形態の使用状態を示す。このペット用トレーは、シート体Ｓ───例えば、マット、シーツ等───を付設して、ペット（図示省略）のトイレとして使用される。すなわち、ペット用トレーの上でペットが排泄する。尿は、後述の受け板５の下方（具体的には、トレー本体１と受け板５の間に形成される空間Ｋ）に流れる。ペット用トレーを定期的に清掃して繰り返し使用する。
【００１２】
ペット用トレーは、平面視略矩形の樹脂製受皿状トレー本体１と、トレー本体１の周縁部１ａに沿って着脱自在に取り付けられる樹脂製枠体２を、備える。枠体２は、トレー本体１に載置するシート体Ｓを押圧して位置ずれを防止するための押圧部３を有する。
【００１３】
押圧部３の上面３ａに、多数の貫孔４が形成された───格子部、ネット部等を有する───通気通水自在な樹脂製受け板５が着脱自在として付設されている。受け板５に、トルマリンの粉末が混入されている。受け板５は上方突出状取手部６を有する。図２・図３に示すように、受け板５の下面５ｂに、複数個のシート体押え用支持短脚７が突設されている。
【００１４】
受け板５の上面５ａと枠体２の上面２ａは略同一高さになるように設定されている。具体的には、受け板５の上面５ａと枠体２の上面２ａの高さの差ｈは、１cm以下に設定されている。高さの差ｈが１cmを越えると、ペットがペット用トレーに乗り降りする際に、つまづく虞れがある。
【００１５】
なお、各部材に抗菌加工、静電気防止加工を施すのも好ましい。それぞれ、菌の発生を抑制する効果、静電気の発生を防止する効果がある。さらに、本考案のペット用トレーを、食器トレーとして使用しても良い。
本考案は、設計変更可能であって、上方突出状取手部６を省略するも良い。また、全体の平面視形状は、長円形、楕円形、円形等であっても良い。
【００１６】
以上のように、本考案は、受皿状トレー本体１と、トレー本体１の周縁部１ａに沿って着脱自在に取り付けられる枠体２を、備え、枠体２が、トレー本体１に載置するシート体Ｓを押圧して位置ずれを防止するための押圧部３を有し、押圧部３の上面３ａに、多数の貫孔４が形成された通気通水自在な受け板５を着脱自在として付設したので、衛生的に優れる。すなわち、尿が、受け板５の下方（空間Ｋ）に流れるので、ペットの毛が濡れるのを防止することができ、ペットを清潔な状態に保つことができる。また、シート体Ｓにペットの毛が付着しないので、容易に清掃することができる。
【００１７】
また、受皿状トレー本体１と、トレー本体１の周縁部１ａに沿って着脱自在に取り付けられる枠体２を、備え、枠体２が、トレー本体１に載置するシート体Ｓを押圧して位置ずれを防止するための押圧部３を有し、押圧部３の上面３ａに、多数の貫孔４が形成された通気通水自在な受け板５を着脱自在として付設し、受け板５の下面５ｂに、複数個のシート体押え用支持短脚７を突設したので、衛生的に優れる。すなわち、尿が、受け板５の下方（空間Ｋ）に流れるので、ペットの毛が濡れるのを防止することができ、ペットを清潔な状態に保つことができる。また、シート体Ｓにペットの毛が付着しないので、容易に清掃することができる。さらに、シート体押え用支持短脚７によって、シートの浮き上がりを確実に防止することができる。
【００１８】
また、受皿状トレー本体１と、トレー本体１の周縁部１ａに沿って着脱自在に取り付けられる枠体２を、備え、枠体２が、トレー本体１に載置するシート体Ｓを押圧して位置ずれを防止するための押圧部３を有し、押圧部３の上面３ａに、多数の貫孔４が形成された通気通水自在な受け板５を着脱自在として付設し、受け板５の下面５ｂに、複数個のシート体押え用支持短脚７を突設し、かつ、受け板５の上面５ａと枠体２の上面２ａが略同一高さになるように設定したので、衛生的に優れる。すなわち、尿が、受け板５の下方（空間Ｋ）に流れるので、ペットの毛が濡れるのを防止することができ、ペットを清潔な状態に保つことができる。また、シート体Ｓにペットの毛が付着しないので、容易に清掃することができる。また、シート体押え用支持短脚７によって、シートの浮き上がりを確実に防止することができる。さらに、ペットがペット用トレーに乗り降りする際につまづくのを防止することができる。
【００１９】
また、受皿状トレー本体１と、トレー本体１の周縁部１ａに沿って着脱自在に取り付けられる枠体２を、備え、枠体２が、トレー本体１に載置するシート体Ｓを押圧して位置ずれを防止するための押圧部３を有し、押圧部３の上面３ａに、多数の貫孔４が形成された通気通水自在な受け板５を着脱自在として付設し、受け板５が上方突出状取手部６を有し、受け板５の下面５ｂに、複数個のシート体押え用支持短脚７を突設し、かつ、受け板５の上面５ａと枠体２の上面２ａが略同一高さになるように設定したので、衛生的に優れる。すなわち、尿が、受け板５の下方（空間Ｋ）に流れるので、ペットの毛が濡れるのを防止することができ、ペットを清潔な状態に保つことができる。また、シート体Ｓにペットの毛が付着しないので、容易に清掃することができる。また、シート体押え用支持短脚７によって、シートの浮き上がりを確実に防止することができる。また、ペットがペット用トレーに乗り降りする際につまづくのを防止することができる。さらに、取手部６によって、受け板５の着脱を容易に行なうことができる。そして、容易にシート体Ｓを交換することができる。
【００２０】
また、受皿状トレー本体１と、トレー本体１の周縁部１ａに沿って着脱自在に取り付けられる枠体２を、備え、枠体２が、トレー本体１に載置するシート体Ｓを押圧して位置ずれを防止するための押圧部３を有し、押圧部３の上面３ａに、多数の貫孔４が形成された通気通水自在な受け板５を着脱自在として付設し、かつ、受け板５に、トルマリンの粉末を混入したので、衛生的に優れる。すなわち、尿が、受け板５の下方（空間Ｋ）に流れるので、ペットの毛が濡れるのを防止することができ、ペットを清潔な状態に保つことができる。また、シート体Ｓにペットの毛が付着しないので、容易に清掃することができる。さらに、マイナスイオン効果を得ることができる。すなわち、ペットが座るだけで、毛や地肌をリフレッシュすることができる。
【図面の簡単な説明】
【００２１】
【図１】本考案の実施の一形態を示す平面図である。
【図２】図１のＡ−Ａ拡大断面図である。
【図３】受け板を示す底面図である。
【符号の説明】
【００２２】
１  トレー本体
１ａ  周縁部
２  枠体
２ａ  上面
３  押圧部
３ａ  上面
４  貫孔
５  受け板
５ａ  上面
５ｂ  下面
６  取手部
７  支持短脚
Ｓ  シート体
【図１】
0003110966.tif 000003
【図２】
0003110966.tif 000004
【図３】
0003110966.tif 000005